(57)【要約】【課題】自動販売機の内部に収納された商品に対して、商品取出口から挿入される手や腕または細長い道具等による商品抜取り等の悪戯を防止するに好適な簡易な構成の自動販売機を提供する。【解決手段】商品取出口８を閉塞したカバー体９の回動初期時に該カバー体９の回動に連動して連結部材３０を変位させてシャッタ２０を回動させ、シュート６と商品受け部７との連通部４０を閉塞する位置まで該シャッタ２０を姿勢変位させた後、このシャッタ２０の変位姿勢を保持しながら前記カバー体９の全開位置への回動を許容するガイド部３１を備える。【選択図】　　　図１
2004021716.tif 000002
【特許請求の範囲】
【請求項１】
販売機本体の前扉の下部に設けられ、前記販売機本体に設けられた商品収納部から払い出されて商品シュートを介して導かれる商品を受け止める商品受け部と、
前記前扉の前面に設けられた商品取出口の上端部に軸支されてその下端側を回動自在に設けられ、常時は上記商品取出口を閉塞すると共に、内側に向けて押圧されて回動して前記商品受け部を開放するカバー体と、
前記商品受け部の上方に姿勢変位自在に設けられて、常時は前記商品受け部と前記商品シュートとの連通部を開放すると共に、押圧されて姿勢変位して前記連通部を閉塞するシャッタと、
前記カバー体に連結して設けられ、該カバー体の回動に連動変位して前記シャッタを押圧して該シャッタの姿勢を変位させる連結部材とを具備し、
前記連結部材は、前記カバー体に係合して前記商品取出口を閉塞したカバー体の回動初期時に該カバー体の回動に連動して該連結部材を変位させて前記シャッタを前記連通部の閉塞位置まで姿勢変位させた後、このシャッタの変位姿勢を保持しながら前記カバー体の全開位置への回動を許容するガイド部を備えることを特徴とする自動販売機。
【請求項２】
前記連結部材は、前記商品取出口の下部に軸支されて内側に回動自在に設けられ、その上端に前記シャッタを押圧するローラを備えたアーム体からなり、
前記ガイド部は、前記カバー体に突設されたガイドピンが嵌め込まれるガイド溝であって、前記商品取出口を閉塞したカバー体の回動初期時に上記ガイドピンにより押圧されて前記連結部材を所定の回動位置まで変位させる第１の溝部と、この第１の溝部に連続して設けられて前記連結部材が上記所定の回動位置に変位したときに前記ガイドピンの自由移動を可能とする第２の溝部とを備えたガイド溝からなる請求項１に記載の自動販売機。
【発明の詳細な説明】
【０００１】
【発明の属する技術分野】
本発明は、商品の取出し易さの向上を図ると共に、自動販売機への悪戯防止策を講じた簡易な構成の自動販売機に関する。
【０００２】
【関連する背景技術】
タバコ等の自動販売機は、図４にその概略的な内部構造を示すように外観的には箱状の販売機本体１と、その前面に開放自在に設けたドア部２とを備えて構成される。この販売機本体１の内部およびドア部２の裏面には、タバコ等のパッケージ化された商品Ｃを積層して収容する複数列の商品収納部４（４ａ，４ｂ）がそれぞれ設けられている。
【０００３】
これらの各商品収納部４（４ａ，４ｂ）には、その内部に商品種別毎に分類された商品（タバコ）Ｃを積層した状態で収納される。この各商品収納部４の下方位置には商品収納部４内に積層して収納された最下位置のタバコＣを、その前面側に払い出す商品払出機構５がそれぞれ組み込まれている。この商品払出機構５は、例えば、ねじ機構式のものや、無端ベルト（チェーン）式のものが採用されている。
【０００４】
このような自動販売機は、ドア部２を閉じたとき販売機本体１の内部およびドア部２の裏面に設けられた商品収納部４ａおよび４ｂが平行に対向するように構成されている。そして、この商品収納部４ａおよび４ｂとの間にはタバコＣの最大外形寸法よりも僅かに広い空間部が、自由落下通路（商品シュート）６として形成されるようになっている。この商品シュート６を介して商品収納部４から払い出されたタバコＣが商品受け部７に導かれるようになっている。
【０００５】
尚、このドア部２の前面には、図５に商品取出部の要部断面構造を示すように商品取出口８の上端部の軸支点９ａに軸支されて、その下端側が回動自在なカバー体９が設けられている。このカバー体９は、常時は商品取出口８を閉塞すると共に、商品受け部７に導かれたタバコＣを取り出すときに内側に押圧されて、タバコＣを取り出すことができるようになっている。
【０００６】
このような自動販売機にあっては、販売機本体１およびドア部２にそれぞれ設けられた各商品収納部４に収納されたタバコＣが商品取出口８から手や腕または細長い道具等を使って抜き取られる等の虞がある。このため、従来は商品受け部７とその上方の壁部１０との間隔Ａを短くして手や腕などの侵入を防止することが行われている。
【０００７】
【発明が解決しようとする課題】
しかしながら商品受け部７とその上方の壁部１０との間隔Ａを短くした場合、商品受け部７に払い出された商品を、商品取出口８から取出し難いという問題があった。また、この方法により販売機本体１の内部に手または腕の侵入を防止できたとしても、細長い道具、例えば鈎状に折り曲げられた針金などが使われた場合、販売機本体１およびドア部２にそれぞれ備え付けられた各商品収納部４の内部の商品が抜き取られる等の悪戯をされる虞があった。
【０００８】
本発明はこのような事情を考慮してなされたもので、その目的は、販売機本体の内部に収納された商品に対して、商品取出口から挿入される手や腕または細長い道具等による悪戯等を防止するに好適な簡易な構成の自動販売機を提供することにある。
【０００９】
【課題を解決するための手段】
前述した目的を達成するべく、本発明に係る自動販売機は、販売機本体の前扉の下部に設けられ、前記販売機本体に設けられた商品収納部から払い出されて商品シュートを介して導かれる商品を受け止める商品受け部と、前記前扉の前面に設けられた商品取出口の上端部に軸支されてその下端側を回動自在に設けられ、常時は上記商品取出口を閉塞すると共に、内側に向けて押圧されて回動して前記商品受け部を開放するカバー体と、前記商品受け部の上方に姿勢変位自在に設けられて、常時は前記商品受け部と前記商品シュートとの連通部を開放すると共に、押圧されて姿勢変位して前記連通部を閉塞するシャッタと、前記カバー体に連結して設けられ、該カバー体の回動に連動変位して前記シャッタを押圧して該シャッタの姿勢を変位させる連結部材とを具備し、前記連結部材は、前記カバー体に係合して前記商品取出口を閉塞したカバー体の回動初期時に該カバー体の回動に連動して該連結部材を変位させて前記シャッタを前記連通部の閉塞位置まで姿勢変位させた後、このシャッタの変位姿勢を保持しながら前記カバー体の全開位置への回動を許容するガイド部を備えることを特徴としている。
【００１０】
好ましくは、前記連結部材は、前記商品取出口の下部に軸支されて前後に回動自在に設けられ、その上端に前記シャッタを押圧するローラを備えたアーム体からなり、前記ガイド部は、前記カバー体に突設されたガイドピンが嵌め込まれるガイド溝であって、前記商品取出口を閉塞したカバー体の回動初期時に上記ガイドピンにより押圧されて前記連結部材を所定の回動位置まで変位させる第１の溝部と、この第１の溝部に連続して設けられて前記連結部材が上記所定の回動位置に変位したときに前記ガイドピンの自由移動を可能とする第２の溝部とを備えたガイド溝から構成される。
【００１１】
即ち、本発明に係る自動販売機は、前記商品取出口を閉塞したカバー体の回動初期時にこのカバー体に設けられたガイドピンがアーム体に形成された第１の溝部を移動することによって前記シャッタを押圧して所定の回動位置まで変位させると共に、このアーム体の第１の溝部に連続して形成された第２の溝部によってシャッタの変位姿勢を保持することを特徴としている。
【００１２】
【発明の実施の形態】
以下、図面を参照して本発明の一実施形態に係る自動販売機についてタバコ用の自動販売機を例に説明する。
この実施形態に係る自動販売機は、概略的には図１に自動販売機の商品取出部の要部拡大図を示すように、ドア部２の前面に設けられたカバー体９をドア部２の内側に向けて押し開けることによってシュート６を介して商品受け部７に払い出されたタバコＣを取り出すことができるように構成されている。
【００１３】
また、シュート６と商品受け部７との間の連通部４０には、この連通部４０を開放／閉塞するシャッタ２０が設けられている。このシャッタ２０は、前記カバー体９の開閉に連動して姿勢を変位させる連結部材３０により押圧されて開放位置から閉塞位置へと回動する。つまりこのシャッタ２０は、カバー体９が販売機本体１の内側へ向けて開けられたとき、商品受け部７とシュート６との間の連通部４０を閉塞し、商品取出口８から手や腕または細長い道具などを用いて商品収納部４に収納されたタバコＣを抜取る等の悪戯を防止する役割を担う。
【００１４】
基本的には上述した如く構成された自動販売機において、この発明が特徴とするところはカバー体９の回動に連動させてシャッタ２０を変位させる連結部材３０にその動きを規制するガイド部３１を設けた点にある。すなわち、本発明が特徴とするところは、カバー体９と連結部材３０との連結構造として、該連結部材３０にカバー体９が僅かに開けられた時点で、シャッタ２０を連通部４０の閉塞位置まで姿勢変位させた後、このシャッタ２０の変位姿勢を保持しながらカバー体９の全開位置への回動を許容するガイド部３１を設けた点にある。
【００１５】
詳しくは、この連結部材３０は、前記商品取出口８の下方のアーム体軸支点３３ａを支点として軸支されて前後に回動自在に取り付けられ、その上端に前記シャッタ２０を押圧するローラ３２を備えるアーム体３３から構成される。尚、シャッタ２０には図示しないがバネなどからなる弾性部材が取り付けられている。このバネは、シャッタ２０に対して販売機本体１側から前扉２側に回動する方向の力を生起させ、常時はシャッタ２０を開放位置に位置付ける役割を担う。
【００１６】
また、ガイド部３１は、前記カバー体９に突設されたガイドピン３４が嵌め込まれる溝からなり、このガイドピン３４の移動をガイドする役割を担う。このガイド部３１は、ガイド体の要部を拡大した図２に示すように前記商品取出口８を閉塞したカバー体９の回動初期時に上記ガイドピン３４により押圧されて前記連結部材３０を所定の回動位置まで変位させる第１の溝部３１ａと、この第１の溝部３１ａに連続して設けられて、前記連結部材３０が上記所定の回動位置に変位したときに前記ガイドピン３４の自由移動を可能とする第２の溝部３１ｂとを備えている。
【００１７】
詳しくは、第１の溝部３１ａは、前記アーム体３３を前記商品取出口８の下部に軸支したアーム体軸支点３３ａを支点とする半径方向に略沿って形成される。また、第２の溝部３１ｂは、前記カバー体９をドア部２に軸支した軸支点９ａを支点としたガイドピン３４の回動半径と略等しい曲率として形成される。
このようなガイド部３１を備えたアーム体３３は、カバー体９に突設されたガイドピン３４によって係合されている。そして、前述したようにアーム体３３の上端部に設けたローラ３２にシャッタ２０が接している。このためシャッタ２０の姿勢変位は、このアーム体３３によって規定されることになる。
【００１８】
さて、このアーム体３３に設けられた本発明が特徴とするガイド部３１の機能について、図３を参照しながら詳細に説明する。
ドア部２に取り付けられたカバー体９は、通常、図３（ａ）に示すように商品取出口８を閉塞した状態にある。このときカバー体９に突設したガイドピン３４は、図２に示す第１の溝部３１ａの下端部３４ａの位置にある。そしてシャッタ２０は、アーム体９により押されることがないので商品受け部７とシュート６との間の連通部４０を開放した位置にある。次に図３（ｂ）に示すようにカバー体９をドア部２の内側に向けて押し開ける。するとガイドピン３４は、カバー体９の開口に伴って第１の溝部３１ａを上方に沿うように移動して、この際、アーム体３３はガイドピン３４に押されて後側に傾き、シャッタ２０を押圧する。この結果、シャッタ２０は、前記連通部４０を閉塞する状態となる。
【００１９】
さらにカバー体９をドア部２の内側に向けて押し開けるとガイドピン３４は、第２の溝部３１ｂに沿って上方に向けて移動する。この際、前述したように、第２の溝部３１ｂは、カバー体９の軸支点９ａを中心部としたガイドピン３４の半径に略等しい曲率となっているので、カバー体９をドア部２の内側に向けて押込んでも、シャッタ２０は連通部４０を閉塞する位置に保持される。そして、図３（ｃ）に示すように、カバー体９の全開位置に到達したときガイドピン３４は第２の溝部３１ｂの上端部３４ｃに到達する。
【００２０】
このようにアーム体３３に第１の溝部３１ａを設けたことによって、カバー体９を少し押込んだだけでシャッタ２０を商品受け部７とシュート６との連通部４０を閉塞することができる。更に第１の溝部３１ａに連続した第２の溝部３１ｂをアーム体３３に設けたことによって該シャッタ２０の変位姿勢（閉塞状態）を保持しながらカバー体９を更に販売機本体１の内側へ押し開くことができる。このため、商品取出口８から販売機本体１の内部へ、手や腕または細長い道具などが差し込まれることを効果的に防止できる。この結果、商品取出口８から販売機内部に収納されたタバコＣの抜取り等の悪戯を確実に阻止することができる。
【００２１】
また、上述したようにシャッタ２０は、カバー体９を販売機本体１の内側に少し押込んだだけで商品受け部７とシュート６との連通部４０を閉塞するように作動するので、従来の自動販売機のように悪戯等の防止のため商品受け部７とその上方の壁部１０との間隔Ａを短くする必要がない。このため、商品受け部７と壁部１０との間隔を広くとることができるので、商品受け部７に払い出されたタバコＣを、商品取出口８から取出し易くすることが可能となる。
【００２２】
したがって本発明に係る自動販売機によれば、カバー体９を販売機本体１の内部に少し押込んだだけで、連結部材３０を介してカバー体９と連動するシャッタ２０が商品取出口８と連通するシュート６を閉塞するように構成しているので、簡単な構成の下で商品の取り出しの容易化が図れると共に、商品取出口８を介したタバコＣの抜取り等の悪戯を確実に防ぐことが可能となる。
【００２３】
尚、本発明は上述した実施形態に限定されるものではない。つまり、タバコ等の重量の軽い商品用の自動販売機のみならず、アルミ缶等にコーヒー等を充填した缶飲料商品等を販売する自動販売機にも容易に適用することが可能であり、この種の自動販売機においても商品取出し易さの向上を図りつつ、販売機本体内部の商品の抜取り等の悪戯を防止することが可能である。
【００２４】
その他、本発明はその要旨を逸脱しない範囲で種々変形して実施することができる。
【００２５】
【発明の効果】
以上説明したように本発明によれば、販売機本体に設けられた商品受け部と商品シュートとの連通部を、選択的に閉塞するシャッタを前扉に取り付けられたカバー体の開閉に連動させて駆動する連結機構にカバー体が僅かに開けられたときにシャッタを一気に閉塞位置まで変位させ、その後、カバー体の全開を許容するガイドを設けているので、簡易な構成でありながら商品の取出しの容易化が図れると共に、商品取出口から販売機内部に収納された商品の抜取り等の悪戯を確実に阻止することができる等の実用上多大なる効果が奏せられる。
【図面の簡単な説明】
【図１】本発明の一実施形態に係る自動販売機の商品取出部の要部断面構成を示す図。
【図２】図１に示すガイド体の要部を拡大した図。
【図３】図１に示す自動販売機のカバー体、アーム体およびシャッタの動作を示す概念図。
【図４】一般的な自動販売機の内部概略構成を示す図。
【図５】従来の自動販売機の商品取出口の要部断面構造を示す図。
【符号の説明】
４　　　商品収納部
５　　　商品払出機構
６　　　シュート
７　　　商品受け部
８　　　商品取出口
９　　　カバー体
２０　　　シャッタ
３０　　　連結部材
３１　　　ガイド部
３２　　　ローラ
３３　　　アーム体
３４　　　ガイドピン
Ｃ　　　タバコ
【図１】
2004021716.tif 000003
【図２】
2004021716.tif 000004
【図３】
2004021716.tif 000005
【図４】
2004021716.tif 000006
【図５】
2004021716.tif 000007